(57)【要約】【課題】光源から照射された光が使用者の目に入って眩しくなるのを防止できる照明器具を提供する。【解決手段】光源部３０が、造営材１１の面方向に沿って点状光源３２が同一線上に配置されており、造営材１１とは反対側に向けて光を出射する。導光部材２０は、帯板状を呈しており、入射端面２１を光源部３０に向けて配置されている。入射端面２１には、拡散シート２２が設けられており、出射端面２３には、複数のリブ２４が設けられている。各リブ２４は、点状光源３２の連続方向に対して平行に設けられている。このため、点状光源３２から発せられた光は、拡散シート２２により粒々感を緩和することができる。さらに、導光部材２０に入射した光は、複数のリブ２４が設けられた出射端面２３から光が出射するので、光が拡散等されて、使用者の目に入っても、眩しくない。また、出射端面２３に設けられている複数のリブ２４は、長手方向に連続して平行に設けられているので、導光部材２０を容易に押し出し成形することができる。【選択図】図１
2015076185.tif 000002
【特許請求の範囲】
【請求項１】
造営材の面方向に沿って設けられる照明器具であって、
点状光源が同一線状に配置された光源部と、
前記光源部に入射端面を向けて配置される帯板状の導光部材と、
前記入射端面に設けられた拡散シートと、
前記入射端面とは反対側の出射端面に設けられた複数のリブとを備え、
前記各リブは前記光源部の連続方向に対して平行である照明器具。
【発明の詳細な説明】
【技術分野】
【０００１】
本発明は、造営材に取り付けられた光源からの光を導光部材を介して照射する照明器具に関するものである。
【背景技術】
【０００２】
従来、造営材に取り付けられたＬＥＤ光源からの光を、導光部材を介して照射する照明器具が知られている（例えば、特許文献１参照）。
図５（Ａ）および図５（Ｂ）に示すように、特許文献１に記載の照明器具（照明装置）１００は、浴室ユニット１０１の天井１０２に取り付けて使用される。
天井１０２は、２枚の天井材１０３で構成されており、両天井材１０３の間には、天井裏に突出して下面が浴室内に露出する２枚の保持片１０４が取り付けられている。照明器具１００は、２枚の保持片１０４の間に保持される。
【０００３】
照明器具１００は、長尺な直方体形状の導光部材（導光材）１０５が、２枚の保持片１０４の間に保持されており、導光部材１０５の下端面が、天井１０２に露出する。
導光部材１０５の上部には、導光部材１０５の上端面に対向するＬＥＤ光源１０７を有する光源ユニット１０６が取り付けられている。
従って、光源ユニット１０６のＬＥＤ光源１０７から発せられた光は、導光部材１０５の上端面に入射され、導光部材１０５の下端面から浴室内に照射される。これにより、浴室内は、直線状の照明器具１００によって照明される。
【先行技術文献】
【特許文献】
【０００４】
【特許文献１】特開２０１１−２３３２４０号公報（第１図）
【発明の概要】
【発明が解決しようとする課題】
【０００５】
しかしながら、前述した特許文献１に記載の従来の照明器具においては、導光部材の一端面に入射した光を他端面から出射させて照明するため、他端面から出射した光が使用者の目に入ると、眩しいという問題があった。
【０００６】
本発明は、従来の問題を解決するためになされたもので、光源から照射された光が使用者の目に入って眩しくなるのを防止できる照明器具を提供することを目的とする。
【課題を解決するための手段】
【０００７】
本発明の照明器具は、造営材の面方向に沿って設けられる照明器具であって、点状光源が同一線状に配置された光源部と、前記光源部に入射端面を向けて配置される帯板状の導光部材と、前記入射端面に設けられた拡散シートと、前記入射端面とは反対側の出射端面に設けられた複数のリブとを備え、前記各リブは前記光源部の連続方向に対して平行であるものである。
【発明の効果】
【０００８】
本発明では、点状光源から発せられた光は、拡散シートを介して導光部材の入射端面に入射するので、点状光源の粒々感を緩和することができる。また、導光部材に入射した光は、複数のリブが設けられた出射端面から光が出射するので、光が拡散等されて、使用者の目に入っても、眩しくないという効果を有する照明器具を提供できる。
【図面の簡単な説明】
【０００９】
【図１】本発明に係る実施形態の照明器具の斜視図
【図２】本発明に係る実施形態の照明器具の端部付近の断面図
【図３】取付部材の断面図
【図４】照明器具を天井面のスリットに取り付けた一例を示す斜視図
【図５】（Ａ）は従来の照明器具の取り付け構造を示す斜視図であり、（Ｂ）は（Ａ）中のＢ−Ｂ位置の断面図
【発明を実施するための形態】
【００１０】
以下、本発明に係る実施形態の照明器具について、図面を用いて説明する。
図１に示すように、実施形態の照明器具１０は、天井面１１、床面、壁面等の造営材に埋め込んで用いることができる。
以下の説明においては、照明器具１０を天井面１１に取り付けて用いる場合について例示し、光照射方向を「下」、光照射方向と反対側を「上」として説明する。
【００１１】
図１に示すように、照明器具１０は、天井面１１に設けられたスリット１２に取り付けられる帯板状の導光部材２０を有する。導光部材２０は、例えば、アクリル、スチレン、ポリカーボネート等で形成することができる。
導光部材２０の上端面である入射端面２１には、例えばＰＥＴ等で形成された光学フィルムである拡散シート２２が、取り付けられている。
【００１２】
導光部材２０の下端面である出射端面２３には、複数のリブ２４が形成されている。リブ２４は、導光部材２０の長手方向に沿って設けられており、導光部材２０の幅方向に平行に設けられている。
リブ２４の断面形状は、特に限定するものではないが、配光形状に応じて、山型形状や、半円筒形状や、鋸刃形状等を採用することができる。
【００１３】
導光部材２０の入射端面２１に対向して光源部３０が設けられている。光源部３０は、入射端面２１に対して所定の間隔を保持して平行に配置される基板３１が、導光部材２０の長手方向に沿って略全長に設けられている。
基板３１の下面である実装面３１１には、点状光源であるＬＥＤパッケージ３２が、長手方向に沿って、所定間隔で複数個実装されている。
【００１４】
従って、光源部３０のＬＥＤパッケージ３２から発せられた光は、拡散シート２２を介して導光部材２０の入射端面２１に入射する。
拡散シート２２は、例えば入射端面２１の短手方向（長手方向に対して直交する方向）に沿って平行、かつ、等間隔で設けられた多数のリブを有し、各ＬＥＤパッケージ３２から発せられた光を導光部材２０の長手方向に沿って拡散する。
なお、拡散シート２２としては、各ＬＥＤパッケージ３２から発せられた光を導光部材２０の長手方向に沿って拡散できれば、リブの方向や、リブの有無等は不問である。
このとき、拡散シート２２によって光が導光部材２０の長手方向に沿って拡散されるので、所定間隔で配置されているＬＥＤパッケージ３２の光があたかも連続したように入射端面２１に入射する。
【００１５】
また、入射端面２１から入射した光は、導光部材２０を通って出射端面２３から出射する。
この際、出射端面２３に設けられている複数のリブ２４により、出射する光が広げられる。特に、リブ２４は、出射端面２３の長手方向に沿って設けられているので、出射する光は、導光部材２０の幅方向に拡がる。
すなわち、各ＬＥＤパッケージ３２から発せられた光は、拡散シート２２により導光部材２０の長手方向に沿って拡散され、次いで出射端面２３から導光部材２０の幅方向に拡がって出射される。このため、点状光源であるＬＥＤパッケージ３２の粒感が緩和され、あたかも連続した光源のように見え、かつ、均一な広がりのある光が得られる。
【００１６】
なお、図２に示すように、前述した照明器具１０において、導光部材２０の入射端面２１と光源部３０のＬＥＤパッケージ３２との間隔を所定量に保持して、導光部材２０に光源部３０とを取り付ける取付部材４０を設けることができる。
取付部材４０は、導光部材２０の少なくとも両端部に取り付けられる。
【００１７】
導光部材２０の両側面２５の上端部付近には、導光部材２０の入射端面２１および拡散シート２２の上面から上方に突出する断面Ｌ字形状の間隔保持部２６を設けておく。間隔保持部２６は、導光部材２０の略全長にわたって設ける。
図３に示すように、取付部材４０は、全体Ｃ字形状をしており、平板状の上板４１と、上板４１の両端から下方に伸びる一対の側板４２と、側板４２の下端部から内側に延びる下板４３を有する。
なお、上板４１と下板４３との純間隔Ｈ１は、導光部材２０の間隔保持部２６の高さに、基板３１の厚さを加えたものとする。
【００１８】
次に、照明器具１０の組立て手順を説明する。
図２に示すように、導光部材２０の間隔保持部２６の上端面２６１に、ＬＥＤパッケージ３２を下にして基板３１を載置する。
導光部材２０の長手方向両外側から、取付部材４０を導光部材２０の端部に挿嵌する。このとき、取付部材４０の上板４１の下面には、基板３１の上面が接する。また、取付部材４０の下板４３の上面には、導光部材２０の間隔保持部２６の下面が当接する。
【００１９】
これにより、基板３１は、導光部材２０の間隔保持部２６の上端面２６１と、取付部材４０の上板４１の下面の間に挟持される。
そして、導光部材２０の両端部に取り付けられた取付部材４０を、ねじ４４により導光部材２０に固定する。
なお、導光部材２０の取付部材４０の下板４３下面から突出する高さＨ２（図２参照）を、天井材の厚さＴに合わせることにより、図４に示すように、照明器具１０を天井面１１のスリット１２に取り付けることができる。
【００２０】
次に、照明器具１０の作用効果について説明する。
照明器具１０では、光源部３０が、天井面１１の面方向に沿って同一線上に配置された点状のＬＥＤパッケージ３２を有しており、天井面１１とは反対側に向けて光を出射する。
導光部材２０は、帯板状を呈しており、入射端面２１を光源部３０に向けて配置されている。入射端面２１には、拡散シート２２が設けられており、入射端面２１とは反対側の出射端面２３には、複数のリブ２４が設けられている。
各リブ２４は、点状のＬＥＤパッケージ３２の連続方向に沿って設けられており、複数のリブ２４が平行に設けられている。
【００２１】
このため、点状のＬＥＤパッケージ３２から発せられた光は、拡散シート２２を介して導光部材２０の入射端面２１に入射するので、点状のＬＥＤパッケージ３２の粒々感を緩和して連続しているように入射することができる。
また、導光部材２０に入射した光は、複数のリブ２４が設けられた出射端面２３から光が出射する。このとき、リブ２４が、ＬＥＤパッケージ３２の連続方向、すなわち、出射端面２３の長手方向に連続して設けられているので、出射する光は出射端面２３の幅方向に拡がる。このため、出射した光が使用者の目に入っても、眩しくない。
また、出射端面２３に設けられている複数のリブ２４は、出射端面２３の長手方向に沿って設けられるとともに、複数のリブ２４が平行に設けられているので、導光部材２０を容易に押し出し成形することができる。
【００２２】
本発明の照明器具は、前述した実施形態に限定されるものでなく、適宜な変形、改良等が可能である。
【符号の説明】
【００２３】
１０  照明器具
１１  天井面（造営材）
２０  導光部材
２１  入射端面
２２  拡散シート
２３  出射端面
２４  リブ
３０  光源部
３２  ＬＥＤパッケージ（点状光源）
【図１】
2015076185.tif 000003
【図２】
2015076185.tif 000004
【図３】
2015076185.tif 000005
【図４】
2015076185.tif 000006
【図５】
2015076185.tif 000007